(57)【要約】【課題】信号の安定した磁気を帯びたファイバーがすき込まれた特殊な原稿を容易に真偽判定して特殊な原稿の判定精度を高めて、複製厳禁等の特殊な原稿の画像データの読み取りとコピーを確実に防止する低コストの原稿画像読取装置、及び、その原稿画像読取装置を具備する画像形成装置を提供する。【解決手段】読み取る原稿Ｏを載置するコンタクトガラス１と、上記コンタクトガラス１上に載置された原稿Ｏを走査して画像データを読み取る原稿画像読み取り手段２と、上記原稿画像読み取り手段２が原稿Ｏの画像データの読み取り時に読み取る原稿Ｏを上記コンタクトガラス１上に押さえる原稿押さえ部材３と、上記原稿押さえ部材３側に配置されて特殊な原稿Ｏを磁気で検知する特殊原稿検知磁気センサ４とからなる。【選択図】        図１
2004334047.tif 000002
【特許請求の範囲】
【請求項１】
載置された原稿を押さえて載置面側から原稿の画像データを読み取る原稿画像読取装置において、読み取る原稿を載置するコンタクトガラスと、上記コンタクトガラス上に載置された原稿を走査して画像データを読み取る原稿画像読み取り手段と、上記原稿画像読み取り手段が原稿の画像データの読み取り時に読み取る原稿を上記コンタクトガラス上に押さえる原稿押さえ部材と、上記原稿押さえ部材側に配置されて特殊な原稿を磁気で検知する特殊原稿検知磁気センサとからなることを特徴とする原稿画像読取装置。
【請求項２】
請求項１に記載の原稿画像読取装置において、原稿押さえ部材は、圧板であることを特徴とする原稿画像読取装置。
【請求項３】
請求項１に記載の原稿画像読取装置において、原稿押さえ部材は、自動原稿供給装置であることを特徴とする原稿画像読取装置。
【請求項４】
請求項１、２又は３に記載の原稿画像読取装置において、特殊原稿検知磁気センサは、原稿押さえ部材の原稿押さえ面から所定のギャップを有していることを特徴とする原稿画像読取装置。
【請求項５】
請求項４に記載の原稿画像読取装置において、ギャップは、２ｍｍ以下であることを特徴とする原稿画像読取装置。
【請求項６】
請求項１、２、３、４又は５に記載の原稿画像読取装置において、特殊原稿検知磁気センサの検知位置は、コンタクトガラス上に載置された原稿のサイズを検知する原稿サイズ検知センサの検知位置と一致することを特徴とする原稿画像読取装置。
【請求項７】
請求項１、２、３、４、５又は６に記載の原稿画像読取装置において、特殊原稿検知磁気センサは、特殊原稿検知磁気センサ駆動手段によって原稿面を走査することを特徴とする原稿画像読取装置。
【請求項８】
請求項７に記載の原稿画像読取装置において、特殊原稿検知磁気センサは、コンタクトガラスの原稿スケールと平行に移動して走査することを特徴とする原稿画像読取装置。
【請求項９】
請求項７又は８に記載の原稿画像読取装置において、特殊原稿検知磁気センサは、特殊原稿検知磁気センサ駆動手段によって原稿面の複数個の原稿サイズ検知センサの検知位置を往復移動して走査することを特徴とする原稿画像読取装置。
【請求項１０】
請求項１乃至９の何れか１項に記載の原稿画像読取装置において、特殊原稿検知磁気センサは、特殊な原稿の検知で原稿の画像データの読み取り処理を中止することを特徴とする原稿画像読取装置。
【請求項１１】
原稿から読み取った画像データによって画像を形成する画像形成装置において、原稿から画像データを読み取る上記請求項１乃至１０の何れか一項に記載の原稿画像読取装置と、上記原稿画像読取装置の読み取る画像データによって画像を形成する画像形成部とからなることを特徴とする画像形成装置。
【請求項１２】
請求項１１に記載の画像形成装置において、画像形成部は、電子写真方法でトナー画像を形成することを特徴とする画像形成装置。
【請求項１３】
請求項１１又は１２に記載の画像形成装置において、原稿画像読取装置の特殊原稿検知磁気センサは、特殊な原稿の検知で、原稿の読み取り画像データによる画像形成処理を中止することを特徴とする画像形成装置。
【発明の詳細な説明】
【０００１】
【発明の属する技術分野】
本発明は、原稿画像読取装置、及び、その原稿画像読取装置を具備する画像形成装置に関し、詳しくは、載置された原稿を押さえて載置面側から原稿の画像データを読み取る原稿画像読取装置、及び、その原稿画像読取装置を具備する原稿から読み取った画像データによって画像を形成する印刷機や電子写真方法でトナー画像を形成する複写機、ファクシミリ装置、プリンタあるいはこれらの複合機等の画像形成装置に関する。
【０００２】
【従来の技術】
従来の原稿画像読取装置、及び、その原稿画像読取装置を具備する画像形成装置においては、近年、画像処理技術や画像形成技術の向上によって、電子写真方法によるカラー複写機で複写したコピー紙幣と実際の紙幣とが容易に区別できないほど精巧に画像形成を行うことが可能になっている。
このために、複写対象の原稿が、紙幣や有価証券等の複製の禁止されている特殊な原稿等であるか否かを判定し、特殊な原稿である場合に違法複写を禁止するようにした装置が開発されており、特殊な原稿を判定する機能を搭載した複写機等の画像形成装置も提案されている。
例えば、導電性ファイバーをすき込んだ特殊紙にマイクロ波を用いて原稿の真偽判定をし、偽造を防止する方法や装置も公知である（例えば、特許文献１、２参照）。
更に、磁気ファイバーを含有する接着層を有するサインパネル部をカードに貼り付けて、カードの偽造、改ざん等を防止することも公知である（例えば、特許文献３、４参照）。
【０００３】
上記特殊な原稿として、それ自身が特殊な原稿であることを示すために金属繊維がすき込まれたものがある。
このような特殊な原稿を通常の原稿と判別するには、特殊な原稿中にすき込まれた金属繊維を検出すれば良い。
そのために、金属繊維がすき込まれた特殊な原稿を判定する機能を有した画像形成装置として、例えば、原稿に対してマイクロ波を照射し、照射したマイクロ波の透過波、又は、反射波を検出して、その検出信号を出力するマイクロ波センサと、マイクロ波センサから出力された検出信号を入力し、この検出信号を用いて、原稿中に金属繊維がすき込まれているか否かを判定する信号判定部と、を備えたものが提案されている。
上記画像形成装置におけるマイクロ波センサは、一般に、原稿に光を照射して走査するための露光照明ユニット等を備えるスキャナに設けられ、原稿台に載置された原稿上をスキャナと共に往復運動し、その往路にて金属繊維を検出するためのマイクロ波の照射、及び、反射波の検出を行う。
そして、信号判定部が、マイクロ波センサから出力された反射波の検出信号を入力し、入力した検出信号を用いて、原稿中に金属繊維がすき込まれているか否かを判定し、原稿中に金属繊維がすき込まれていると判定された場合、原稿が金属繊維のすき込まれた紙幣、有価証券等の特殊な原稿であると判定するようになっている。
然し、マイクロ波を用いた真偽判定方式では、原稿に含まれた水分にセンサが反応したり、自動原稿供給装置（ＡＤＦ）を構成する板金に反応したり、誤検知が多く特殊な原稿の判定精度が低下していた。
又、信号が安定な磁気を帯びたファイバーがすき込まれた特殊な原稿を磁気センサで真偽判定する方式は、特殊な原稿と磁気センサのギャップを２ｍｍ以下程度に狭くしないと検知できず、画像読取装置のスキャナー等（例えば、特許文献５参照）に取り付けて走査することが出来ないので、磁気センサを使用して真偽判定の精度を高くすることも出来なかった。
従って、従来の原稿画像読取装置、及び、その原稿画像読取装置を具備する画像形成装置においては、信号の安定した磁気を帯びたファイバーがすき込まれた特殊な原稿を磁気センサで真偽判定することが困難で誤検知が多く特殊な原稿の判定精度が低下して、複製厳禁等の原稿のコピーを防止することが出来ないと言う不具合が生じていた。
【特許文献１】特開平５―２７０１７８号公報
【特許文献２】特開平１０−１９８７８２号公報
【特許文献３】特開平６−２６２８８９号参照
【特許文献４】特開平６−２６２８９０号公報
【０００４】
【発明が解決しようとする課題】
従来の原稿画像読取装置、及び、その原稿画像読取装置を具備する画像形成装置においては、信号の安定した磁気を帯びたファイバーがすき込まれた特殊な原稿を磁気センサで真偽判定することが困難で誤検知が多く特殊な原稿の判定精度が低下して、複製厳禁の原稿のコピーを防止することが出来ないと言う問題が発生していた。
そこで本発明の課題は、このような問題点を解決するものである。即ち、信号の安定した磁気を帯びたファイバーがすき込まれた特殊な原稿を容易に真偽判定して特殊な原稿の判定精度を高めて、複製厳禁等の特殊な原稿の画像データの読み取りとコピーを確実に防止する低コストの原稿画像読取装置、及び、その原稿画像読取装置を具備する画像形成装置を提供することを目的とする。
【０００５】
【課題を解決するための手段】
上記目的を達成するために、請求項１の本発明は、載置された原稿を押さえて載置面側から原稿の画像データを読み取る原稿画像読取装置において、読み取る原稿を載置するコンタクトガラスと、上記コンタクトガラス上に載置された原稿を走査して画像データを読み取る原稿画像読み取り手段と、上記原稿画像読み取り手段が原稿の画像データの読み取り時に読み取る原稿を上記コンタクトガラス上に押さえる原稿押さえ部材と、上記原稿押さえ部材側に配置されて特殊な原稿を磁気で検知する特殊原稿検知磁気センサとからなる原稿画像読取装置であることを最も主要な特徴とする。
請求項２の本発明は、請求項１に記載の原稿画像読取装置において、原稿押さえ部材は、圧板である原稿画像読取装置であることを主要な特徴とする。
請求項３の本発明は、請求項１に記載の原稿画像読取装置において、原稿押さえ部材は、自動原稿供給装置である原稿画像読取装置であることを主要な特徴とする。
請求項４の本発明は、請求項１、２又は３に記載の原稿画像読取装置において、特殊原稿検知磁気センサは、原稿押さえ部材の原稿押さえ面から所定のギャップを有している原稿画像読取装置であることを主要な特徴とする。
請求項５の本発明は、請求項４に記載の原稿画像読取装置において、ギャップは、２ｍｍ以下である原稿画像読取装置であることを主要な特徴とする。
請求項６の本発明は、請求項１、２、３、４又は５に記載の原稿画像読取装置において、特殊原稿検知磁気センサの検知位置は、コンタクトガラス上に載置された原稿のサイズを検知する原稿サイズ検知センサの検知位置と一致する原稿画像読取装置であることを主要な特徴とする。
請求項７の本発明は、請求項１、２、３、４、５又は６に記載の原稿画像読取装置において、特殊原稿検知磁気センサは、特殊原稿検知磁気センサ駆動手段によって原稿面を走査する原稿画像読取装置であることを主要な特徴とする。
請求項８の本発明は、請求項７に記載の原稿画像読取装置において、特殊原稿検知磁気センサは、コンタクトガラスの原稿スケールと平行に移動して走査する原稿画像読取装置であることを主要な特徴とする。
【０００６】
請求項９の本発明は、請求項７又は８に記載の原稿画像読取装置において、特殊原稿検知磁気センサは、特殊原稿検知磁気センサ駆動手段によって原稿面の複数個の原稿サイズ検知センサの検知位置を往復移動して走査する原稿画像読取装置であることを主要な特徴とする。
請求項１０の本発明は、請求項１乃至９の何れか１項に記載の原稿画像読取装置において、特殊原稿検知磁気センサは、特殊な原稿の検知で原稿の画像データの読み取り処理を中止する原稿画像読取装置であることを主要な特徴とする。
請求項１１の本発明は、原稿から読み取った画像データによって画像を形成する画像形成装置において、原稿から画像データを読み取る上記請求項１乃至１０の何れか一項に記載の原稿画像読取装置と、上記原稿画像読取装置の読み取る画像データによって画像を形成する画像形成部とからなる画像形成装置であることを最も主要な特徴とする。
請求項１２の本発明は、請求項１１に記載の画像形成装置において、画像形成部は、電子写真方法でトナー画像を形成する画像形成装置であることを主要な特徴とする。
請求項１３の本発明は、請求項１１又は１２に記載の画像形成装置において、原稿画像読取装置の特殊原稿検知磁気センサは、特殊な原稿の検知で、原稿の読み取り画像データによる画像形成処理を中止する画像形成装置であることを主要な特徴とする。
【０００７】
【発明の実施の形態】
次に、本発明の実施の形態は、図面を参照して詳細に説明する。
図１は本発明の一実施形態に係る原稿画像読取装置の概略構成図であり、同図において、載置された原稿を押さえて載置面側から原稿の画像データを読み取る原稿画像読取装置０は、読み取る原稿（Ｏ）を載置するコンタクトガラス１と、コンタクトガラス１上に載置された原稿（Ｏ）を走査して画像データを読み取る原稿画像読み取り手段２と、原稿画像読み取り手段２が原稿（Ｏ）の画像データの読み取り時に読み取る原稿（Ｏ）をコンタクトガラス１上に押さえる原稿押さえ部材３の圧板３ａと、圧板３ａ側に配置されて特殊な原稿（Ｏ）を磁気で検知する特殊原稿検知磁気センサ４とからなる。これによれば、信号の安定した磁気を帯びたファイバーがすき込まれた特殊の原稿（Ｏ）を容易に真偽判定して特殊の原稿（Ｏ）の判定精度を高めて、複製厳禁等の特殊な原稿（Ｏ）の画像データの読み取りを確実に防止することができる。
原稿押さえ部材開閉センサ６の原稿押さえ部材開閉センサ６ａと原稿押さえ部材開閉センサ６ｂは、原稿押さえ部材ヒンジ３ｅにより圧板３ａの図示の矢印（Ａ）方向に開閉する圧板３ａの開閉部に配置されて、圧板３ａの開閉を検知するようになっている。
上記原稿押さえ部材開閉センサ６ａは、コンタクトガラス１上に載置された原稿（Ｏ）のサイズを検知する原稿サイズ検知センサ５の検知タイミング用である。
【０００８】
上記特殊原稿検知磁気センサ４は、圧板３ａの原稿押さえ面３ｃから２ｍｍ以下のギャップ３ｄを形成して配置することにより、特殊な原稿（Ｏ）の磁気による検知が可能で、特殊な原稿（Ｏ）の判定精度を高めて、原稿画像読み取り手段２に読み取られたりすることなく、読み取られる画像データに悪影響を与えることが防止されるようになっている。
更に、上記特殊原稿検知磁気センサ４の検知位置は、コンタクトガラス１上に載置された原稿（Ｏ）のサイズを検知する上記原稿サイズ検知センサ５の検知位置と一致するように配置されているから、信号の安定した磁気を帯びたファイバーがすき込まれた特殊の原稿（Ｏ）を容易に真偽判定して特殊な原稿（Ｏ）の判定精度を、更に高めて、複製厳禁等の特殊な原稿（Ｏ）のコピーを、更に、確実に防止する上記原稿画像読取装置０を提供することが出来るようになった。
【０００９】
図２は他の実施形態の原稿画像読取装置の概略構成図であり、同図において、載置された原稿を押さえて載置面側から原稿の画像データを読み取る上記原稿画像読取装置０は、読み取る原稿（Ｏ）を載置するコンタクトガラス１と、コンタクトガラス１上に載置された原稿（Ｏ）を走査して画像データを読み取る原稿画像読み取り手段２と、原稿画像読み取り手段２が原稿（Ｏ）の画像データの読み取り時に読み取る原稿（Ｏ）をコンタクトガラス１上に押さえる圧板３ａに替えて原稿（Ｏ）を自動的にコンタクトガラス１上に搬送して供給する自動原稿供給装置（ＡＤＦ）３ｂと、上記原稿押さえ部材３の上記自動原稿供給装置３ｂ側に配置されて特殊の原稿（Ｏ）を磁気で検知する上記特殊原稿検知磁気センサ４とからなり、信号の安定した磁気を帯びたファイバーがすき込まれて自動原稿供給装置（ＡＤＦ）３ｂからコンタクトガラス１上に搬送して供給される特殊の原稿（Ｏ）を容易に真偽判定して特殊の原稿（Ｏ）の判定精度を高めて、複製厳禁等の特殊の原稿（Ｏ）のコピーを確実に防止する。
原稿押さえ部材開閉センサ６ａと原稿押さえ部材開閉センサ６ｂは、上記原稿押さえ部材ヒンジ３ｅにより自動原稿供給装置３ｂの図示の矢印（Ａ）方向に開閉する開閉部に配置されて、自動原稿供給装置３ｂの開閉を検知するようになっている。
【００１０】
上記原稿押さえ部材開閉センサ６ａは、コンタクトガラス１上に載置された原稿（Ｏ）のサイズを検知する上記原稿サイズ検知センサ５の検知タイミング用である。
上記特殊原稿検知磁気センサ４は、自動原稿供給装置３ｂの上記原稿押さえ面３ｃから２ｍｍ以下の上記ギャップ３ｄを形成して配置することにより、特殊な原稿（Ｏ）の磁気による検知が可能で、特殊な原稿（Ｏ）の判定精度を高めて、原稿画像読み取り手段２に読み取られたりすることなく、読み取られる画像データに悪影響を与えることが防止されるようになっている。
更に、１個又は２個の上記特殊原稿検知磁気センサ４は、特殊原稿検知磁気センサ駆動手段４ａと共に上記自動原稿供給装置３ｂの下部、又は、図示しない圧板３ａ内に内蔵されて、上記特殊原稿検知磁気センサ駆動手段４ａによって原稿（Ｏ）面を走査して検知するようになっている。
上記特殊原稿検知磁気センサ４が原稿（Ｏ）面を走査する検知位置は、コンタクトガラス１上に載置された原稿（Ｏ）のサイズを検知する上記原稿サイズ検知センサ５の複数個の検知位置と一致するように配置されているから、信号の安定した磁気を帯びたファイバーがすき込まれた特殊の原稿（Ｏ）を容易に真偽判定して特殊な原稿（Ｏ）の判定精度を、更に、高めて、複製厳禁等の特殊な原稿（Ｏ）のコピーを、更に、確実に防止して低コストの上記原稿画像読取装置０を提供することが出来るようになった。
図３において、上記原稿画像読取装置０において、（０）、▲１▼、▲２▼、▲３▼、▲４▼、▲５▼は、各原稿サイズ検知センサ５ａ、原稿サイズ検知センサ５ｂ、原稿サイズ検知センサ５ｃ、原稿サイズ検知センサ５ｄ、原稿サイズ検知センサ５ｅ、原稿サイズ検知センサ５ｆのコンタクトガラス１上の原稿（Ｏ）のサイズを検知する検知位置である。
特殊原稿検知磁気センサ４ｂと特殊原稿検知磁気センサ４ｃは、自動原稿供給装置３ｂ、又は、図示しない上記圧板３ａを閉じた時のコンタクトガラス１上での投影した位置である。
【００１１】
図４乃至８において、各原稿サイズ検知センサ５ａ、５ｂ、５ｃ、５ｄ、５ｅ、５ｆによって、コンタクトガラス１上の原稿（Ｏ）のサイズを検知した後に、検知位置で特殊原稿検知磁気センサ４ｂと特殊原稿検知磁気センサ４ｃは、上記特殊原稿検知磁気センサ駆動手段４ａと図示しない駆動モータと連結した駆動プーリ４ｄにより、コンタクトガラス１の原稿スケール１ａの副走査方向の原稿スケール１ａ１と平行の図示の矢印（Ｂ）方向、又は、矢印（Ｃ）方向の副走査方向に移動して、上記原稿サイズ検知センサ５の各上記原稿サイズ検知センサ５ａ、５ｂ、５ｃ、５ｄ、５ｅ、５ｆのコンタクトガラス１上の原稿（Ｏ）のサイズを検知する各（０）、▲１▼、▲２▼、▲３▼、▲４▼、▲５▼の検知位置を往復移動して１走査しながら特殊の原稿（Ｏ）を検知するから、信号の安定した磁気を帯びたファイバーがすき込まれた特殊の原稿（Ｏ）を容易に真偽判定して特殊な原稿（Ｏ）の判定精度を、更に、高めて、複製厳禁等の特殊な原稿（Ｏ）の画像データの読み取りを確実に防止して、更に、低コストの上記原稿画像読取装置０を提供することが出来るようになった。
図７に図示するような各種サイズの製品規格の原稿（Ｏ）であっても、図８に図示するようにコンタクトガラス１上の原稿（Ｏ）のサイズを検知する各（０）、▲１▼、▲２▼、▲３▼、▲４▼、▲５▼の検知位置を特殊原稿検知磁気センサ４ｂと４ｃによって、往復移動して１走査しながら特殊の原稿（Ｏ）を検知して制御部４ｅで判定するようになっている（図４を参照）。
特殊原稿検知磁気センサ４ｂと４ｃの出力が、図５に図示のように無ければ、信号の安定した磁気を帯びたファイバーがすき込まれた特殊の原稿（Ｏ）でないと上記制御部４ｅで判定される。
然し、特殊原稿検知磁気センサ４ｂと４ｃの出力が、図６に図示のように言って位置を越えた値にて検出される場合には、信号の安定した磁気を帯びたファイバーがすき込まれた特殊の原稿（Ｏ）であると上記制御部４ｅで判定されて、画像データの読み取り処理を中止する。
【００１２】
図９において、上記原稿画像読取装置０は、各原稿サイズ検知センサ５ａ、５ｂ、５ｃ、５ｄ、５ｅ、５ｆによって、コンタクトガラス１上の原稿（Ｏ）のサイズを検知した後に、各検知位置で特殊原稿検知磁気センサ４ｂと上記特殊原稿検知磁気センサ４ｃで特殊の原稿（Ｏ）の検知が行われて、上記制御部４ｅによって、次のように、信号の安定した磁気を帯びたファイバーがすき込まれた特殊の原稿（Ｏ）を容易に真偽判定して特殊な原稿（Ｏ）の判定精度を高めて、低コストで複製厳禁等の特殊な原稿（Ｏ）の画像データの読み取りを、更に、確実に防止するようになっている。
特殊な原稿（Ｏ）の判定処理のスタートで、上記原稿押さえ部材開閉センサ６の上記原稿押さえ部材開閉センサ６ａのオン（ＯＮ）を判断して（ステップ１）、各原稿サイズ検知センサ５ａ、５ｂ、５ｃ、５ｄ、５ｅ、５ｆによって、コンタクトガラス１上の原稿（Ｏ）サイズの検知を実行して（ステップ２）、原稿サイズ検知センサ５ａ、５ｂ、５ｃ、５ｄ、５ｅ、５ｆによって、コンタクトガラス１上の原稿（Ｏ）サイズの検知が出来たかを判断して（ステップ３）、原稿（Ｏ）サイズの検知が出来なかったらコンタクトガラス１上の原稿（Ｏ）のセットのし直しを警告して（ステップ４）、（ステップ２）に戻るが、原稿（Ｏ）サイズの検知が出来た後に上記原稿押さえ部材開閉センサ６の上記原稿押さえ部材開閉センサ６ｂのオン（ＯＮ）を判断して（ステップ５）、特殊原稿検知磁気センサ４ｂと上記特殊原稿検知磁気センサ４ｃで特殊な原稿（Ｏ）の検知を実行して（ステップ６）、特殊な原稿（Ｏ）であるかを判断して（ステップ７）、特殊な原稿（Ｏ）でなければエンドで終了するが、特殊な原稿（Ｏ）であれば原稿画像読み取り手段２の特殊な原稿（Ｏ）の画像データの読み取り中止の処理をして（ステップ８）、エンドで終了する。
従って、信号の安定した磁気を帯びたファイバーがすき込まれた特殊な原稿（Ｏ）を容易に真偽判定して特殊な原稿（Ｏ）の判定精度を高めて、複製厳禁等の特殊な原稿（Ｏ）の画像データの読み取りを、更に、確実に防止する低コストの上記原稿画像読取装置０を提供することが出来るようになった。
【００１３】
図１０において、原稿から読み取った画像データによって画像を形成する画像形成装置１０は、原稿（Ｏ）から画像データを読み取る上記請求項１乃至１０の何れか一項に記載の上記原稿画像読取装置０と、上記原稿画像読取装置０の読み取る画像データによって電子写真方法でトナー画像を形成する画像形成部１０ａとからなり、電子写真方法でトナー画像を形成しても、信号の安定した磁気を帯びたファイバーがすき込まれた特殊の原稿（Ｏ）を容易に真偽判定して特殊な原稿（Ｏ）の判定精度を高めて、低コストで複製厳禁等の特殊な原稿（Ｏ）の原稿の読み取り画像データによる画像形成処理のコピーを確実に防止する。
上記画像形成装置１０の複写機は、上部には、原稿（０）の画像データを読み取る上記原稿画像読取装置０の原稿画像読み取り手段２と圧板３ａ、又は、図示しない上記自動原稿供給装置（ＡＤＦ）３ｂが配置されている。
他方、下部には、本体１０ａを載置して被転写体（Ｐ）の転写用紙を供給する被転写体供給装置１６が配置されている。
上記原稿画像読取装置０の原稿画像読み取り手段２と圧板３ａで、原稿（０）の原稿画像の画像データを読み取る。
その画像データでトナー画像を形成する電子写真方法による、潜像形成手段１３のレーザーダイオード１３ｃを発光させることにより、帯電手段１２で均一に帯電された像担持体１１のドラム形状の感光体ドラム上に静電潜像を形成する。
上記潜像形成手段１３の上記レーザーダイオード１３ｃを発光させて形成した静電潜像を現像手段１４で顕像化してトナー画像を形成する。
上記現像手段１４で顕像化したトナー画像は、転写手段１５で、上記被転写体供給装置１６から搬送されて来る被転写体（Ｐ）の転写用紙に転写される。
上記転写手段１５で被転写体（Ｐ）の転写用紙に転写されたトナー画像は、定着手段１７にて加熱と加圧後に、排紙ローラ１８によりトナー画像が形成された被転写体（Ｐ）の転写用紙を排紙トレイ１９へ送り出して収納されるようになっている。
他方、上記像担持体１１のドラム形状の感光体ドラムは、上被転写体（Ｐ）の転写用紙にトナー画像を転写した後に、表面１１ａに付着した残留トナーを、クリーニング装置２０によって掻き落とされてクリーニングされて、次工程の画像形成に備えるようになっている。
【００１４】
図１１において、上記画像形成装置１０の複写機は、原稿（Ｏ）からＲＧＢのカラー画像データを読み取る上記原稿画像読取装置０と、上記原稿画像読取装置０からカラー画像データを入力し、γ補正処理，ＲＧＢ／ＹＭＣＫ変換処理，階調処理等を行う画像処理ユニット１３ａと、上記レーザダイオード１３ｃを発光させて画像書込処理を実行する書込処理ユニット１３ｂと、上記レーザダイオード１３ｃの書込光を用いて被転写体（Ｐ）の転写用紙にカラー画像を形成する画像形成ユニット１０ｂの上記像担持体１１のドラム形状の感光体ドラム、上記帯電手段１２．上記現像手段１４等、並びに、これらを駆動するためのモータ、クラッチ、ソレノイド等の出力負荷部１０ｂ１、上記像担持体１１のドラム形状の感光体ドラムの上記表面１１ａの電位やトナー濃度等を検出する各種センサ１０ｂ２、その他、所定の信号の入出力を制御するＩ／Ｏ１０ｂ３と、各種モードの入力およびメッセージの表示等を行うための操作ユニット１０ｃと、特殊原稿検知磁気センサ４ｂと上記特殊原稿検知磁気センサ４ｃと信号処理部４ｆで特殊な原稿（Ｏ）か否かを判定する原稿判別ユニット０ａと、コンタクトガラス１に載置された原稿（Ｏ）を覆うように押さえる圧板３ａ、又は、自動原稿供給装置３ｂが開閉されたことを検知する上記原稿押さえ部材開閉センサ６の上記原稿押さえ部材開閉センサ６ａと上記原稿押さえ部材開閉センサ６ｂと、上記画像形成装置１０の複写機の近傍に人間が存在することを検知する人体検知ユニット１０ｄと、上記原稿判別ユニット０ａで原稿（Ｏ）中に金属繊維がすき込まれていると判定された場合に、原稿（Ｏ）が金属繊維のすき込まれた紙幣や有価証券等の特殊の原稿（Ｏ）であると判定し、判定結果に基づく処理を上記各部に実行させる上記制御部４ｅとを有している。
上記原稿画像読取装置０は、原稿画像読み取り手段２のカラー画像データを読み取るＣＣＤセンサ等の読に取りセンサ２ａと、上記読み取りセンサ２ａから出力されたアナログ信号としてのカラー画像データをディジタル信号に変換する等の信号処理を施して、上記画像処理ユニット１３ａに出力する読み取り信号処理部２ｂとを備えている。
【００１５】
図１２において、上記原稿画像読取装置０における増幅器２ｃの増幅器（Ｒａ）２ｃ１０、増幅器（Ｒｂ）２ｃ１１、増幅器（Ｇａ）２ｃ２０、増幅器（Ｇｂ）２ｃ２１、増幅器（Ｂａ）２ｃ３０、増幅器（Ｂｂ）２ｃ３１は、原稿（Ｏ）からカラー画像データを読み取ることにより得られた偶数または奇数のＲＧＢ信号を増幅する。
Ａ／Ｄ変換回路２ｄのＡ／Ｄ変換回路（Ｒａ）２ｄ１０、Ａ／Ｄ変換回路（Ｒｂ）２ｄ１１、Ａ／Ｄ変換回路（Ｇａ）２ｄ２０、Ａ／Ｄ変換回路（Ｇｂ）２ｄ２１、Ａ／Ｄ変換回路（Ｂａ）２ｄ３０、Ａ／Ｄ変換回路（Ｂｂ）２ｄ３１は、アナログのＲＧＢ信号をディジタルのＲＧＢ信号に変換する。
合成回路２ｅの合成回路（Ｒ）２ｅ１、合成回路（Ｇ）２ｅ２、合成回路（Ｂ）２ｅ３は、偶数および奇数のＲＧＢ信号を合成する。
シェーディング補正回路２ｆのシェーディング補正回路（Ｒ）２ｆ１、シェーディング補正回路（Ｇ）２ｆ２、合シェーディング補正回路（Ｂ）２ｆ３は、白基準信号、及び、黒基準信号に基づいて、ＲＧＢ信号に対してシェーディング補正を行う。
ライン間補正メモリ２ｇのライン間補正メモリ２ｇ１、ライン間補正メモリ２ｇ２、ライン間補正メモリ２ｇ３は、ＲＧＢ信号の転送タイミングを調節する。図１３において、上記画像処理ユニット１３ａは、補正処理部１３ａ１、ディレイメモリ１３ａ２のディレイメモリ１３ａ２１、ディレイメモリ１３ａ２２、ディレイメモリ１３ａ２３、ＡＣＳ１３ａ３、文字／網点分離部１３ａ４、色変換部１３ａ５、変倍処理部１３ａ６、クリエイト処理部１３ａ７、階調処理部１３ａ８、エリア処理部１３ａ９、書込処理部１３ａ１０等で構成されている。
上記補正処理部１３ａ１は、入力したＲＧＢ信号にドット補正処理や、γ補正処理を施す。
上記色変換部１３ａ５は、ＲＧＢフィルタを用いて色変換処理を行う。上記階調処理部１３ａ８は、ＹＭＣＫフィルタを用いてプリンタγ階調処理を行う。上記書込処理部１３ａ１０は、書込信号を生成する。
【００１６】
図１４において、上記書込処理ユニット１３ｂは、ディジタル処理部１３ｂ１、アナログ処理部１３ｂ２であり、書込信号を入力し、ＬＤ変調を行い、上記レーザダイオード１３ｃを発光させる。
図１５において、上記画像形成装置１０に搭載された上記原稿画像読取装置０は、原稿（Ｏ）が載置されるコンタクトガラス１と、原稿（Ｏ）をコンタクトガラス１上に押さえる原稿押さえ部材３の圧板３ａと、圧板３ａ内に配置されて特殊な原稿（Ｏ）を磁気で検知する特殊原稿検知磁気センサ４と、露光照明ユニット２ａ１１のハロゲンランプ、第１ミラー２ａ１２で一体構成された第１スキャナー２ａ１と、第２反射ミラー２ａ２１、及び、第３反射ミラー２ａ２２で一体構成された第２スキャナー２ａ２と、フィルタ２ａ３、レンズ２ａ４、及び、ＣＣＤ２ａ５で一体構成された上記読み取りセンサ２ａと、上記読み取りセンサ２ａの上記ＣＣＤ２ａ５から出力された画像信号を入力し、所定の信号処理を施すための各種回路、即ち、上記読取信号処理部２ｂや、上記潜像形成手段１３の上記画像処理ユニット１３ａ、上記特殊原稿検知磁気センサ４の上記信号処理部４ｆ、上記原稿押さえ部材開閉センサ６の上記原稿押さえ部材開閉センサ６ａと上記原稿押さえ部材開閉センサ６ｂ、シェーディング板７の白基準板、冷却ファン８の冷却ファン８ａと冷却ファン８ｂ、結露防止ヒータ９、上記原稿サイズ検知センサ５等が実装された基板０ｂとが、筐体内に収容されて構成されている。
【００１７】
図１６において、上記原稿画像読取装置０は、原稿サイズ検知センサ５ａ、上記原稿サイズ検知センサ５ｂ、上記原稿サイズ検知センサ５ｃ、上記原稿サイズ検知センサ５ｄ、上記原稿サイズ検知センサ５ｅ、上記原稿サイズ検知センサ５ｆによって、コンタクトガラス１上の原稿（Ｏ）のサイズを検知した後に、各検知位置で特殊原稿検知磁気センサ４ｂと上記特殊原稿検知磁気センサ４ｃで特殊の原稿（Ｏ）の検知が行われて、上記制御部４ｅによって、次のように、信号の安定した磁気を帯びたファイバーがすき込まれた特殊の原稿（Ｏ）を容易に真偽判定して特殊な原稿（Ｏ）の判定精度を高めて、低コストで複製厳禁等の特殊な原稿（Ｏ）の画像データの読み取りと原稿（Ｏ）の読み取り画像データによる画像形成処理のコピーを、更に、確実に防止することが出来るようになっている。特殊な原稿（Ｏ）の判定処理のスタートで、上記原稿押さえ部材開閉センサ６の上記原稿押さえ部材開閉センサ６ａのオン（ＯＮ）を判断して（ステップ１１）、原稿サイズ検知センサ５ａ、上記原稿サイズ検知センサ５ｂ、上記原稿サイズ検知センサ５ｃ、上記原稿サイズ検知センサ５ｄ、上記原稿サイズ検知センサ５ｅ、上記原稿サイズ検知センサ５ｆによって、コンタクトガラス１上の原稿（Ｏ）サイズの検知を実行して（ステップ１２）、原稿サイズ検知センサ５ａ、上記原稿サイズ検知センサ５ｂ、上記原稿サイズ検知センサ５ｃ、上記原稿サイズ検知センサ５ｄ、上記原稿サイズ検知センサ５ｅ、上記原稿サイズ検知センサ５ｆによって、コンタクトガラス１上の原稿（Ｏ）サイズの検知が出来たかを判断して（ステップ１３）、原稿（Ｏ）サイズの検知が出来なかったらコンタクトガラス１上の原稿（Ｏ）のセットのし直しを警告して（ステップ１４）、（ステップ１２）に戻るが、原稿（Ｏ）サイズの検知が出来た後に上記原稿押さえ部材開閉センサ６の上記原稿押さえ部材開閉センサ６ｂのオン（ＯＮ）を判断して（ステップ１５）、特殊原稿検知磁気センサ４ｂと上記特殊原稿検知磁気センサ４ｃで特殊な原稿（Ｏ）の検知を実行して（ステップ１６）、特殊な原稿（Ｏ）であるかを判断して（ステップ１７）、特殊な原稿（Ｏ）でなければエンドで終了するが、特殊な原稿（Ｏ）であれば原稿画像読み取り手段２の特殊な原稿（Ｏ）の画像データの読み取り中止と特殊な原稿（Ｏ）の読み取り画像データの画像形成処理のコピー中止の処理をして（ステップ１８）、エンドで終了する。
従って、信号の安定した磁気を帯びたファイバーがすき込まれた特殊な原稿（Ｏ）を容易に真偽判定して特殊な原稿（Ｏ）の判定精度を高めて、複製厳禁等の特殊な原稿（Ｏ）の画像データの読み取りと原稿の読み取り画像データによる画像形成処理のコピーを、更に、確実に防止する低コストの上記原稿画像読取装置０を具備する上記画像形成装置１０を提供することが出来るようになった。
【００１８】
【発明の効果】
本発明は、以上説明したように構成されているので、請求項１の発明によれば、信号の安定した磁気を帯びたファイバーがすき込まれた特殊な原稿を容易に真偽判定して特殊な原稿の判定精度を高めて、複製厳禁等の特殊な原稿の画像データの読み取りを確実に防止する低コストの原稿画像読取装置を提供することが出来るようになった。
請求項２の発明によれば、原稿押さえ部材の圧板でコンタクトガラス上に特殊な原稿を押さえて、信号の安定した磁気を帯びたファイバーがすき込まれた特殊な原稿を容易に真偽判定して特殊な原稿の判定精度を高めて、複製厳禁等の特殊な原稿の画像データの読み取りを確実に防止する低コストの原稿画像読取装置を提供することが出来るようになった。
請求項３の発明によれば、原稿押さえ部材の自動原稿供給装置でコンタクトガラス上に特殊な原稿を押さえて、信号の安定した磁気を帯びたファイバーがすき込まれた特殊な原稿を容易に真偽判定して特殊な原稿の判定精度を高めて、複製厳禁等の特殊な原稿の画像データの読み取りを確実に防止する低コストの原稿画像読取装置を提供することが出来るようになった。
請求項４の発明によれば、特殊な原稿の磁気による検知が可能となり、読み取られる画像データに悪影響を与えることが防止されるようになって、信号の安定した磁気を帯びたファイバーがすき込まれた特殊な原稿を容易に真偽判定して特殊な原稿の判定精度を高めて、複製厳禁等の特殊な原稿の画像データの読み取りを確実に防止する低コストの原稿画像読取装置を提供することが出来るようになった。
請求項５の発明によれば、特殊な原稿の磁気による検知が確実に可能となり、読み取られる画像データに悪影響を与えることが防止されるようになって、信号の安定した磁気を帯びたファイバーがすき込まれた特殊な原稿を容易に真偽判定して特殊な原稿の判定精度を高めて、複製厳禁等の特殊な原稿の画像データの読み取りを確実に防止する低コストの原稿画像読取装置を提供することが出来るようになった。
請求項６の発明によれば、信号の安定した磁気を帯びたファイバーがすき込まれた特殊な原稿を容易に真偽判定して特殊な原稿の判定精度を、更に、高めて、複製厳禁等の特殊な原稿の画像データの読み取りを確実に防止する低コストの原稿画像読取装置を提供することが出来るようになった。
【００１９】
請求項７の発明によれば、信号の安定した磁気を帯びたファイバーがすき込まれた特殊な原稿を容易に真偽判定して特殊な原稿の判定精度を高めて、複製厳禁等の特殊な原稿の画像データの読み取りを確実に防止して、更に、低コストの原稿画像読取装置を提供することが出来るようになった。
請求項８の発明によれば、信号の安定した磁気を帯びたファイバーがすき込まれた特殊な原稿を容易に真偽判定して特殊な原稿の判定精度を、更に、高めて、複製厳禁等の特殊な原稿の画像データの読み取りを確実に防止して、更に、低コストの原稿画像読取装置を提供することが出来るようになった。
請求項９の発明によれば、信号の安定した磁気を帯びたファイバーがすき込まれた特殊な原稿を容易に真偽判定して特殊な原稿の判定精度を、更に、高めて、複製厳禁等の特殊な原稿の画像データの読み取りを確実に防止して、更に、低コストの原稿画像読取装置を提供することが出来るようになった。
請求項１０の発明によれば、信号の安定した磁気を帯びたファイバーがすき込まれた特殊な原稿を容易に真偽判定して特殊な原稿の判定精度を高めて、複製厳禁等の特殊な原稿の画像データの読み取りを、更に、確実に防止する低コストの原稿画像読取装置を提供することが出来るようになった。
請求項１１の発明によれば、信号の安定した磁気を帯びたファイバーがすき込まれた特殊な原稿を容易に真偽判定して特殊な原稿の判定精度を高めて、複製厳禁等の特殊な原稿の画像データの読み取りと原稿の読み取り画像データによる画像形成処理を確実に防止する低コストの原稿画像読取装置を具備する画像形成装置を提供することが出来るようになった。
請求項１２の発明によれば、電子写真方法でトナー画像を形成しても、信号の安定した磁気を帯びたファイバーがすき込まれた特殊な原稿を容易に真偽判定して特殊な原稿の判定精度を高めて、複製厳禁等の特殊な原稿の画像データの読み取りと原稿の読み取り画像データによる画像形成処理を確実に防止する低コストの原稿画像読取装置を具備する画像形成装置を提供することが出来るようになった。
請求項１３の発明によれば、信号の安定した磁気を帯びたファイバーがすき込まれた特殊な原稿を容易に真偽判定して特殊な原稿の判定精度を高めて、複製厳禁等の特殊な原稿の画像データの読み取りと原稿の読み取り画像データによる画像形成処理を、更に、確実に防止する低コストの原稿画像読取装置を具備する画像形成装置を提供することが出来るようになった。
【図面の簡単な説明】
【図１】本発明の実施の形態例を示す原稿画像読取装置を説明する説明図である。
【図２】本発明の他の実施の形態例を示す原稿画像読取装置を説明する説明図である。
【図３】本発明の実施の形態例を示す原稿画像読取装置の主要部を説明する説明図である。
【図４】本発明の実施の形態例を示す原稿画像読取装置の他の主要部の状態を説明する説明図である。
【図５】本発明の実施の形態例を示す原稿画像読取装置の他の主要部における副走査位置と特殊原稿検知磁気センサ４の出力の特性を説明する説明図である。
【図６】本発明の実施の形態例を示す原稿画像読取装置の他の主要部における副走査位置と特殊原稿検知磁気センサ４の出力の他の特性を説明する説明図である。
【図７】本発明の実施の形態例を示す原稿画像読取装置に使用される原稿（Ｏ）のサイズ検知製品規格仕様対応表を示す図である。
【図８】本発明の実施の形態例を示す原稿画像読取装置の他の主要部を説明する説明図である。
【図９】本発明の実施の形態例を示す原稿画像読取装置の他の主要部の動作を説明するフローチャートである。
【図１０】本発明の実施の形態例を示す原稿画像読取装置を具備する画像形成装置を説明する説明図である。
【図１１】本発明の実施の形態例を示す原稿画像読取装置を具備する画像形成装置の主要部を説明するブロック図である。
【図１２】本発明の実施の形態例を示す原稿画像読取装置を具備する画像形成装置の他の主要部を説明するブロック図である。
【図１３】本発明の実施の形態例を示す原稿画像読取装置を具備する画像形成装置の他の主要部を説明するブロック図である。
【図１４】本発明の実施の形態例を示す原稿画像読取装置を具備する画像形成装置の他の主要部を説明するブロック図である。
【図１５】本発明の実施の形態例を示す原稿画像読取装置を具備する画像形成装置の他の主要部を説明する説明図である。
【図１６】本発明の実施の形態例を示す原稿画像読取装置を具備する画像形成装置の他の主要部の動作を説明するフローチャートである。
【符号の説明】
０  原稿画像読取装置、
０ａ  原稿判別ユニット、
０ｂ  基板
１  コンタクトガラス、
１ａ  原稿スケール、
１ａ１  副走査方向の原稿スケール、
１ａ２  主走査方向の原稿スケール
２  原稿画像読み取り手段、
２ａ  読み取りセンサ、
２ａ１  第１スキャナー、
２ａ１１  露光証明ユニット、
２ａ１２  第１反射ミラー、
２ａ２  第２スキャナー、
２ａ２１  第２反射ミラー、
２ａ２２  第３反射ミラー、
２ａ３  フイルタ、
２ａ４  レンズ、
２ａ５  ＣＣＤ、
２ｂ  読み取り信号処理部、
２ｃ  増幅器、
２ｃ１０  増幅器（Ｒａ）、
２ｃ１１  増幅器（Ｒｂ）、
２ｃ２０  増幅器（Ｇａ）、
２ｃ２１  増幅器（Ｇｂ）、
２ｃ３０  増幅器（Ｂａ）、
２ｃ３１  増幅器（Ｂｂ）、
２ｄ  Ａ／Ｄ変換回路、
２ｄ１０  Ａ／Ｄ変換回路（Ｒａ）、
２ｄ１１  Ａ／Ｄ変換回路（Ｒｂ）、
２ｄ２０  Ａ／Ｄ変換回路（Ｇａ）、
２ｄ２１  Ａ／Ｄ変換回路（Ｇｂ）、
２ｄ３０  Ａ／Ｄ変換回路（Ｂａ）、
２ｄ３１  Ａ／Ｄ変換回路（Ｂｂ）、
２ｅ  合成回路、
２ｅ１  合成回路（Ｒ）、
２ｅ２  合成回路（Ｇ）、
２ｅ３  合成回路（Ｂ）、
２ｆ  シェーディング補正回路、
２ｆ１  シェーディング補正回路（Ｒ）、
２ｆ２  シェーディング補正回路（Ｇ）、
２ｆ３  シェーディング補正回路（Ｂ）、
２ｇ  ライン間補正メモリ、
２ｇ１  ライン間補正メモリ、
２ｇ２  ライン間補正メモリ、
２ｇ３  ライン間補正メモリ
３  原稿押さえ部材、
３ａ  圧板、
３ｂ  自動原稿供給装置（ＡＤＦ）、
３ｃ  原稿押さえ面、
３ｄ  ギャップ、
３ｅ  原稿押さえ部材ヒンジ
４  特殊原稿検知磁気センサ、
４ａ  特殊原稿検知磁気センサ駆動手段、
４ｂ  特殊原稿検知磁気センサ、
４ｃ  特殊原稿検知磁気センサ、
４ｄ  駆動プーリ、
４ｅ  制御部、
４ｆ  信号処理部
５  原稿サイズ検知センサ、
５ａ  原稿サイズ検知センサ、
５ｂ  原稿サイズ検知センサ、
５ｃ  原稿サイズ検知センサ、
５ｄ  原稿サイズ検知センサ、
５ｅ  原稿サイズ検知センサ、
５ｆ  原稿サイズ検知センサ
６  原稿押さえ部材開閉センサ、
６ａ  原稿押さえ部材開閉センサ、
６ｂ  原稿押さえ部材開閉センサ、
７  シェーデイング板
８  冷却ファン、
８ａ  冷却ファン、
８ｂ  冷却ファン
９  結露防止ヒータ
１０  画像形成装置、
１０ａ  画像形成部、
１０ｂ  画像形成ユニット、
１０ｂ１  出力負荷部、
１０ｂ２  各種センサ、
１０ｂ３  その他Ｉ／Ｏ
１０ｃ  操作ユニット、
１０ｄ  人体検知ユニット
１１  像担持体、
１１ａ  表面
１２  帯電手段
１３  潜像形成手段、
１３ａ  画像処理ユニット、
１３ａ１  補正処理部、
１３ａ２  ディレイメモリ、
１３ａ２１  ディレイメモリ、
１３ａ２２  ディレイメモリ、
１３ａ２３  ディレイメモリ、
１３ａ３  ＡＣＳ、
１３ａ４  文字／網店分離部、
１３ａ５  色変換部、
１３ａ６  変倍処理部、
１３ａ７  クリエイト処理部、
１３ａ８  階調処理部、
１３ａ９  エリア処理部、
１３ａ１０  書込処理部、
１３ｂ  書込処理ユニット、
１３ｂ１  デイジタル処理部、
１３ｂ２  アナログ処理部、
１３ｃ  レーザダイオード
１４  現像手段
１５  転写手段
１６  被転写体供給装置
１７  定着手段
１８  排紙ローラ
１９  排紙トレイ
２０  クリーニング装置
【図１】
2004334047.tif 000003
【図２】
2004334047.tif 000004
【図３】
2004334047.tif 000005
【図４】
2004334047.tif 000006
【図５】
2004334047.tif 000007
【図６】
2004334047.tif 000008
【図７】
2004334047.tif 000009
【図８】
2004334047.tif 000010
【図９】
2004334047.tif 000011
【図１０】
2004334047.tif 000012
【図１１】
2004334047.tif 000013
【図１２】
2004334047.tif 000014
【図１３】
2004334047.tif 000015
【図１４】
2004334047.tif 000016
【図１５】
2004334047.tif 000017
【図１６】
2004334047.tif 000018